(57)【要約】      （修正有）【課題】主として乳幼児等の被抱持者を抱持したとき、被抱持者の脱落を防止し、安全、安定的に使用できるスリングの提供。【解決手段】被抱持者を抱持収容するスリング本体１を端部夫々に設けた連結具５Ａ，５Ｂによってループ状に連結固定可能とする。スリング本体１の開口部の両側縁に左右の補助連結ベルト１０を引き出し自在に配装し、この左右の補助連結ベルト１０を連結具５Ａ，５Ｂの左右両脇位置で補助連結具１５Ａ，１５Ｂにて連結可能にする。補助連結ベルト１０は、スリング本体１の開口部の両側縁に沿って形成した挿通部１１の開口部から前後部をスライド自在に引き出し可能にする。【選択図】図１
0003118605.tif 000002
【実用新案登録請求の範囲】
【請求項１】
被抱持者を抱持収容する長尺帯材製のスリング本体を端部夫々に設けた連結具によってループ状に連結可能とするスリングにおいて、スリング本体の開口部の両側縁に左右の補助連結ベルトを引き出し自在に配装し、この左右の補助連結ベルトを連結具の左右両脇位置で補助連結具にて連結可能にしたことを特徴とするスリング。
【請求項２】
補助連結ベルトは、スリング本体の開口部の両側縁にこの両側縁に沿って形成した挿通部の開口部から前後部をスライド自在に引き出し可能にしてある請求項１に記載のスリング。
【請求項３】
補助連結具は、スリング本体のいずれか一方の端部から外出した補助連結ベルトの前端と、スリング本体のいずれか他方の端部から外出した補助連結ベルトの後端とを着脱自在に連結する構成にしてある請求項１または２に記載のスリング。
【考案の詳細な説明】
【技術分野】
【０００１】
この考案はスリングに係り、主として乳幼児等の被抱持者を抱持したとき、被抱持者の脱落を防止し、安全、安定的に使用できるスリングに関する。
【背景技術】
【０００２】
近時、主として乳幼児を抱持する１枚布地製の抱き紐であるスリングが多用されつつある。このスリングは乳幼児を前部あるいは側部で抱きかかえたり、背部でおぶったり等の乳幼児等の被抱持者と抱持者との対面状態・形態の選択性、抱持者の動きを大きく制限しない自由性その他のために好まれている。例えば特許文献１乃至３である。
【０００３】
特許文献１の乳幼児用スリングは、被抱持者を抱持する略紡錘型の袋の一端部に二重の連結リングを固定し、絞り込んで細帯状にした袋の他端部を連結リング相互間に挿通し、固定することで使用する。特許文献２の乳児運搬具は、被抱持者を抱持する乳児保持帯の側面にベルトを併設しておき、乳児保持帯にて抱持し、抱持者の肩などに掛けた状態でベルトを抱持者の腰部に巻回することで使用する。特許文献３のベビースリングは、被抱持者を抱持するベビースリング本体の一側部に、この一側部を絞り込む落下防止兼長さ調節ベルトを一側部に形成した筒状部内に牽引自在に封入して成り、ベルトの牽引操作でベビースリング本体の開口部を窄めることで使用する。
【特許文献１】特開２００３−４７５４２号公報
【特許文献２】登録実用新案第３０４７６０３号公報
【特許文献３】特開２００４−２２２８２８号公報
【考案の開示】
【考案が解決しようとする課題】
【０００４】
ただ特許文献１によると、乳幼児を抱持したときの袋の開口部が大きく空いたままなので、乳幼児をくるむように開口部を閉じなければ、抱持した乳幼児を脱落させるおそれがある。また、連結リングによる袋全体をループ形態とする使用固定は、連結リング部分で袋の端部が滑る可能性があるために確実性に欠ける点もある。特許文献２によると、乳児運搬具自体は抱持者の身体に拘束されるから、常に抱持者と一体的になる安定性はあっても、開いている乳児保持帯の開口部からの乳幼児の脱落を確実には阻止できない。特許文献３によると、ベビースリング本体の開口部における一側部のみの絞り込みは、開口部全域を窄めることにはならないために確実性に若干欠ける点が認められる。また、ベビースリング本体をループ状に固定する着脱式の連結具が不意に解除されたときには被抱持者が脱落される危険があるから、それを未然に防止できる安全策が望まれている。
【０００５】
そこでこの考案は叙上のような従来存した諸事情に鑑み、それらの欠点を解消すべく案出された。すなわち、この考案の目的は、例えば乳幼児を抱持すべくループ状とするときの連結具の連結状態が不意に解除されても抱持状態を確実に維持し、被抱持者を脱落させずに安全性を確保することにある。またスリング本体の開口部の両側縁を窄めることで被抱持者を確実に抱持させておくことにある。しかも、抱持者が肩に掛けて抱持使用するとき、両肩での使用を可能にすることにある。
【課題を解決するための手段】
【０００６】
上述した課題を解決するため、この考案にあっては、被抱持者を抱持収容する長尺帯材製のスリング本体１を端部夫々に設けた連結具５Ａ，５Ｂによってループ状に連結可能とするスリングにおいて、スリング本体１の開口部の両側縁に左右の補助連結ベルト１０を引き出し自在に配装し、この左右の補助連結ベルト１０を連結具５Ａ，５Ｂの左右両脇位置で補助連結具１５Ａ，１５Ｂにて連結可能にしたことを特徴とする。
補助連結ベルト１０は、スリング本体１の開口部の両側縁にこの両側縁に沿って形成した挿通部１１の開口部から前後部をスライド自在に引き出し可能にしてある。
補助連結具１５Ａ，１５Ｂは、スリング本体１のいずれか一方の端部から外出した補助連結ベルト１０の前端と、スリング本体１のいずれか他方の端部から外出した補助連結ベルト１０の後端とを着脱自在に連結する構成にしてある。
【０００７】
以上のように構成されたこの考案に係るスリングにあって、スリング本体１によって例えば乳幼児等の被抱持者を抱持した状態で、連結具５Ａ，５Ｂによるループ状の連結時に補助連結具１５Ａ，１５Ｂによって更に連結することで、二重の連結状態となる。このため、連結ループ状態を一層確実、強固にさせ、いずれか一方の連結、特に主たる連結具５Ａ，５Ｂが不意に解除されても、スリング本体１のループ構成は補助連結ベルト１０を連結固定する補助連結具１５Ａ，１５Ｂによって維持され、被抱持者の脱落その他の危険となる事態を予め排除させる。
補助連結ベルト１０は引き出され、牽引されることでスリング本体１の開口部における両側縁である左右を窄ませ、抱持する被抱持者をスリング本体１内に確実に保持させる。また、スリング本体１の開口部における左右を夫々窄ませることで、抱持者が被抱持者を抱持するときにスリング本体１を掛ける抱持者における肩の左右のいずれを選択しても良く、使用勝手を向上させる。
【考案の効果】
【０００８】
この考案は以上説明したように構成されているため、例えば乳幼児等の被抱持者を抱持すべくスリング本体１をループ状にして固定するときの主たる連結具５Ａ，５Ｂの連結状態が不意に解除されても補助たる補助連結ベルト１０を連結している補助連結具１５Ａ，１５Ｂによる連結状態がそのまま維持される。そのため被抱持者の抱持状態を、スリング本体１の開口部縁に沿って１本状となる補助連結ベルト１０にて確実、強固に維持でき、被抱持者を脱落させることなく、その安全性を確保できる。またスリング本体１の開口部の両側縁を補助連結ベルト１０の牽引によって窄めることで被抱持者を確実に抱持でき、しかも、抱持者が肩に掛けて抱持使用するとき、左右の肩のいずれでも使用できる。
【０００９】
これはすなわち、この考案が、被抱持者を抱持収容するスリング本体１を連結具５Ａ，５Ｂによってループ状に固定連結するとき、スリング本体１の開口部の両側縁に左右の補助連結ベルト１０を引き出し自在に配装し、この左右の補助連結ベルト１０を連結具５Ａ，５Ｂの左右両脇位置で補助連結具１５Ａ，１５Ｂにて連結可能にしたからである。これによって、スリング本体１をループ状に連結固定し、二重にした連結状態による安全性の確保、対称的構成としたことによる抱持者の左右のいずれかの肩に掛けての使用・抱持形態の選択等を可能にする。
【００１０】
また補助連結ベルト１０はスリング本体１の開口部の両側縁にスライド自在に引き出し可能にしてあるから、これの引き出し・牽引で開口部を窄めて被抱持者をしっかりとした抱持状態とする。しかもスリング本体１の開口部の両側縁夫々に設けられることで、いわば左右対称型となり、抱持するときの抱持者の左右の肩のいずれによって掛けても良く、使用勝手を向上できる。
【００１１】
補助連結具１５Ａ，１５Ｂは、スリング本体１の一方の端部から外出している補助連結ベルト１０の前端と、スリング本体１の他方の端部から外出している補助連結ベルト１０の後端とを、主たる連結具５Ａ，５Ｂの左右両脇位置で着脱自在に連結するから、連結部位においての安定性を一層向上できる。また主たる中央位置の連結具５Ａ，５Ｂによる連結が不意に解除されても、これの両脇位置で左右の補助連結具１５Ａ，１５Ｂが補助連結ベルト１０と共にスリング本体１のループ形態を支持連結するから、抱持安定性、安全性を確保できる。
【００１２】
尚、上記の課題を解決するための手段、考案の効果の項夫々において付記した符号は、図面中に記載した構成各部を示す部分との参照を容易にするために付した。この考案は、図面中の符号によって示された構造・形状に限定されるものではない。
【考案を実施するための最良の形態】
【００１３】
以下図面を参照してこの考案を実施するための最良の一形態を説明する。図において示される符号１はスリング本体であり、被抱持者である例えば乳幼児、要介護者、犬その他を抱持するに足りる内容積を有して、基本的には１枚の長尺状の所定幅員の帯布における両端部分を端部に至るに伴い次第に窄めて成る。そして、一方の端部と他方の端部とを所定の連結具５Ａ，５Ｂにて着脱自在に連結することで抱持部分をループ状に形成できるように構成してある。尚、スリング本体１自体は基本的には１枚の布生地にて形成されるも、複数の布地材の縫合等によって形成されるも差し障りない。
【００１４】
スリング本体１における一方の端部は、スリング本体１自体の端部を襞折り状にすると共に連結帯２を連結し、この連結帯２に連結具の一方例えば雄止め具５Ａを連結帯２の連繋長さを調整可能にすべくスライド自在に連繋してある。またスリング本体１における他方の端部は、スリング本体１自体の端部を襞折り状にすることで狭幅部分となる連結部３を形成すると共に、この連結部３に連結具の他方例えば雌止め具５Ｂを連繋してある。雄止め具５Ａ、雌止め具５Ｂ相互による着脱自在な連結構造は、雌止め具５Ｂの扁平角型の筒状部に、雄止め具５Ａにおける弾発的に開閉する左右の係止フック片を挿入し、この係止フック片の筒状部内への挿入後では係止フック片が筒状部に形成されている左右の係止孔縁に係止して連結する。係止フック片の筒状部内への挿入の連結後は、外部から係止フック片を内部に押し込み、係止を解除することで離反できる。もとより、図示のような雄雌結合構成の連結具に限らず、二重リング構成、縛結構成等の着脱構造は任意に選定可能である。
【００１５】
スリング本体１の開口部の両側縁には、開口部を窄ませると共にスリング本体１のループ状形態を保持する補助連結ベルト１０がスリング本体１の左右で対称的に配装されている。この補助連結ベルト１０は、スリング本体１の開口部の両側縁に沿って、この両側縁に設けられた長袋状の挿通部１１内にスライド自在に挿入してある。また、これの前端部分は、スリング本体１のいずれか一方の端部位置例えば雄止め具５Ａ側に合致する挿通部１１の開口端から外出している。同じく補助連結ベルト１０の後端部分はスリング本体１のいずれか他方の端部位置例えば雌止め具５Ｂ側すなわち連結部３位置に合致する挿通部１１の開口端から外出している（図２参照）。
【００１６】
この補助連結ベルト１０の前後端の外出部分を相互に牽引することでスリング本体１の開口部の両側縁を窄めることができる。補助連結ベルト１０自体はスリング本体１をループ状に保持する機能をも有し、連結具５Ａ，５Ｂによる連結が不意に解除されたときでもスリング本体１のループ状形態を保持する。
【００１７】
そして補助連結ベルト１０の前端部分夫々には補助雄止め具１５Ａをスライド自在にして連繋してある。また連結部３の左右から外出している補助連結ベルト１０の後端部分夫々に補助雌止め具１５Ｂを連繋してある。これらの補助連結具１５Ａ，１５Ｂは先の連結具５Ａ，５Ｂに比しやや小型化してあり、この補助連結具１５Ａ，１５Ｂにおける連結、離反は先の連結具５Ａ，５Ｂにおけると同様なので、その詳細は省略される。ただ、補助連結ベルト１０の連結によるスリング本体１のループ構成は先の連結帯２、連結部３の連結部位の左右両脇に位置している。そして連結帯２、連結部３相互の連結が不意に解除されたとき、補助連結ベルト１０連結でスリング本体１のループ構成がそのまま維持されるものとしてある。すなわち、中央に位置する連結具５Ａ，５Ｂ相互の連結力と、左右で対となる補助連結具１５Ａ，１５Ｂ相互の連結力とはほぼ同程度にしてある。尚、補助連結具１５Ａ，１５Ｂは、連結具５Ａ，５Ｂと同様に他の構成のものに変更可能であるのは勿論である。
【００１８】
尚、図示を省略したが、補助連結ベルト１０は、挿通部１１の奥部に後端を固定し、挿通部１１の開口端から外出する前端部分をスライド自在に挿通部１１から引き出しあるいは挿入収納可能にすることもできる。例えば前端部分自体は、スリング本体１のいずれか一方の端部、図示例にあってはスリング本体１における一方の端部である連結帯２側とし、この連結帯２側に挿通部１１の開口部が位置している。後端は、スリング本体１のいずれか他方の端部、図示例にあってはスリング本体１における連結部３側とし、例えば連結部３の基部側に縫着することで挿通部１１の奥部に固定する。この場合、補助連結ベルト１０の補助雄止め具１５Ａを連結させる補助雌止め具１５Ｂをスリング本体１の他端部に、例えば他端部から連結した連結補助帯に連繋しておく。尚、後端を固定した補助連結ベルト１０の引出しは、スリング本体１の開口部を確実に窄ませる利点がある。
【００１９】
図中符号２０は連結具カバーであり、図示例のように連結部３側に所定幅員・長さのほぼ矩形状にして連結されていて、連結具５Ａ，５Ｂ相互、補助連結具１５Ａ，１５Ｂ相互夫々の連結後で、その連結部分を覆い、これらの抱持者、被抱持者に対するいわゆる当たりをソフトにする。
【００２０】
また図中符号２１は肩パットであり、生地自体を折り込んでクッション性の綿部材を封入して成り、抱持者の肩にかかる余分な布がなく、肩の動きを妨げない上に、負荷のかかる位置を一定になるようにしてある。これによって、ファッション性において洗練されたものとなり、外観上ですっきりし、スタイリッシュ性、好印象性等が一層向上する。
【００２１】
図中符号２２は収納ポケットで、スリング本体１外側面に付設されている（図５参照）。すなわち、折り畳んだスリング本体１を、裏返し（反転）状にした収納ポケット２２にて収容可能にする。また開口部にはこの収納ポケット２２を閉塞する例えば面ファスナーによる閉じ具２３、奥底部には携帯容易とする例えば細帯布地製の取っ手２４を夫々形成してある。
【００２２】
次にこれの使用の一例を説明する。従来と同様にスリング本体１内に例えば乳幼児である被抱持者を収容する一方、被抱持者の身長、体重その他に対応してスリング本体１のループ形態の大きさを選定する。この選定に応じて連結帯２長さを調整しながら、中央位置の主たる連結具５Ａ，５Ｂ相互を連結し、また左右で対となる補助連結具１５Ａ，１５Ｂ相互を連結して補助連結ベルト１０を固定する。このとき、被抱持者の大きさ等に合わせて補助連結ベルト１０を引き出し牽引して全体長さを調整し、スリング本体１の開口部大きさを調整する。尚、肩パット２１部分で抱持者の肩に掛けた状態で連結具５Ａ，５Ｂ、補助連結具１５Ａ，１５Ｂ夫々を予じめ連結するも、被抱持者をスリング本体１に収容した後に連結具５Ａ，５Ｂ、補助連結具１５Ａ,１５Ｂを連結するもいずれも任意である。また抱持形態も図４に示すように抱持者の前部とするも、あるいは図示を省略した背部とするも、側部とするも任意である。
【００２３】
こうした抱持状態で、もし主たる連結具５Ａ，５Ｂによる連結状態が不意に解除されても、補助となる補助連結具１５Ａ，１５Ｂによる補助連結ベルト１０の連結状態が維持されていることで、被抱持者がスリング本体１から脱落する危険性を未然に防止する。
【００２４】
また不使用時では、スリング本体１を連結具５Ａ，５Ｂ、補助連結具１５Ａ，１５Ｂと共に折り畳み、その後、反転させた収納ポケット２３内に収容する。
【００２５】
尚、図示を省略したが、被抱持者は乳幼児にかぎらず、老人、身体不自由者等の要介護者であったり、犬等のペット類であったりしても同様に使用できる。
【図面の簡単な説明】
【００２６】
【図１】この考案を実施するための最良の形態を示す斜視図である。
【図２】同じく一部切欠の展開状態の平面図である。
【図３】同じく例えば乳幼児を抱持するときにおける斜視図である。
【図４】同じく使用状態時における斜視図である。
【図５】同じく収納ポケット部分における要部平面図である。
【符号の説明】
【００２７】
１…スリング本体                        ２…連結帯
３…連結部                              ５Ａ…雄止め具
５Ｂ…雌止め具
１０…補助連結ベルト                    １１…挿通部
１５Ａ…補助雄止め具                    １５Ｂ…補助雌止め具
２０…連結具カバー                      ２１…肩パット
２２…収納ポケット                      ２３…閉じ具
２４…取っ手
【図１】
0003118605.tif 000003
【図２】
0003118605.tif 000004
【図３】
0003118605.tif 000005
【図４】
0003118605.tif 000006
【図５】
0003118605.tif 000007